(57)【要約】【課題】  簡単な構成で生産性がよく、しかも装飾性にも優れた磁石式プレート玩具を提供する。【解決手段】  平板状の正方形でなる本体２における各辺の中央には取り付け凹部３が設けられており、そこにＮ極露出状態の磁石４ＮとＳ極露出状態の磁石４Ｓとを各辺の中心に対して対称の位置に配置した状態で、一面側を内面に粘着剤６を塗布した装飾シール５に粘着させて配置を安定させた後、全面を装飾シール５で覆い装飾面を全面に露出させるようにして全体を固定させる構成とした。なお、形状は正方形以外の他の多角形にも応用できる。【選択図】  図１
0003161698.tif 000002
【実用新案登録請求の範囲】
【請求項１】
平板状の多角形でなる本体と、該本体と略同じ厚さでなる複数の磁石と、内面側に粘着剤を塗布した装飾シールとからなり、
上記本体の各辺には取り付け凹部が設けられており、そこに上記磁石を挿入した状態で、その表面又は裏面を上記装飾シールの内面側に粘着させることにより配置を安定させ、さらに、この装飾シールを、他の面も同様に粘着させて全面を覆うことにより、装飾面を全面に露出させた状態で全体を固定させたことを特徴とする磁石式プレート玩具
【請求項２】
磁石は、本体の一辺の中央に対し、Ｎ極露出状態とＳ極露出状態とを対称の位置に配置し、他辺もそれと同様に配置したことを特徴とする請求項１に記載の磁石式プレート玩具
【請求項３】
磁石は、Ｎ極露出状態とＳ極露出状態とを密着させた状態で配置したことを特徴とする請求項２に記載の磁石式プレート玩具
【請求項４】
磁石は、Ｎ極露出状態とＳ極露出状態とを間隙をもたせた状態で配置したことを特徴とする請求項２に記載の磁石式プレート玩具
【請求項５】
磁石は、Ｎ極露出状態とＳ極露出状態との配置ピッチを一定とし、交互に４ヶ所以上偶数個形成したことを特徴とする請求項３または請求項４のいずれか１項に記載の磁石式プレート玩具
【請求項６】
本体は、正方形でなることを特徴とする請求項１〜５のいずれか１項に記載の磁石式プレート玩具
【考案の詳細な説明】
【技術分野】
【０００１】
本考案は、プレートを連結して立体的に仕上げることのできる、磁石式プレート玩具に関するものである。
【背景技術】
【０００２】
従来から、この種の磁石式プレート玩具に関する出願は複数なされており、例えば特許文献１には四角形或いは直角三角形でなる平面状の本体の各縁（辺）に磁性体（磁石）を取り付け、または埋没一体化した構成が開示されている。
なお、この特許文献１には、磁性体（磁石）を本体の各縁（辺）に取り付け、または埋没一体化するための具体的な内容が示されていないが、例えば取り付ける方法としては接着剤を使用することが考えられ、現在開示されている状態で埋没一体化しようとすれば本体を熱可塑性樹脂製として磁石をインサート成型する方法が考えられる。
【先行技術文献】
【特許文献】
【０００３】
【特許文献１】実開昭６１−１３８６７
【考案の概要】
【考案が解決しようとする課題】
【０００４】
しかしなら、接着剤使用による方法では、接着剤のはみ出しが起こりやすく、それによる汚れの発生や生産性を上げにくいという不都合が起こりやすいものとなる。
また、インサート成型については、仮想はできるものの、現実的には高温状態での射出成型により、磁石が錆びたり磁気吸着力が劣化する等の性能状の不都合が起こりやすく、さらに磁石が成型金型に磁気吸着することが想定されるため、その防止構造が必要となると共に生産性が極めて悪くなるものと想定される。
さらに、この構成では、磁性体（磁石）が露出しているため、プレートとしての装飾性が好ましくなく、総合的に生産性やデザイン性において不都合の多い構成のものとなっている。
【０００５】
一方、性能的には、現在の構成では、磁性体（磁石）の磁極をどのように設定するかの開示がなされておらず、同磁極による磁気反撥により各プレートが接合できなくなる事態が想定されると共に、それを防ぐためには、組み合わせが限定されるという不都合が生じる構成となっている。
【０００６】
そこで、本考案は、簡単な構成で生産性がよく、しかも装飾性にも優れた磁石式プレート玩具を提供し、併せて、各プレートが確実に磁気吸着できる機能をも備えた磁石式プレート玩具を提供することを課題とする。
【課題を解決するための手段】
【０００７】
本考案は、装飾シールを利用すれば、従来の不都合を解消できるのではないかの観点で鋭意検討の結果なされたものであって、具体的には、平板状の多角形で成る本体と、その本体と同じ厚さで成る複数の磁石と、内面側に粘着剤を塗布した装飾シールとからなり、本体の各辺には取り付け凹部が設けられており、そこに磁石を挿入した状態で、その表面又は裏面を装飾シールの内面側に粘着させることにより配置を安定させ、さらに、この装飾シールを、他の面も同様に粘着させて全面を覆うことにより、装飾面を全面に露出させた状態で全体を固定させる、という構成で実現できる。
【０００８】
この構成によれば、本体に磁石が挿入されただけ、即ち直接的には取り付けられていない状態にあるにもかかわらず、格別な取り付け作業を行わなくても、装飾部材である装飾シールを取り付けるという作業を行うだけで、簡単に磁石の固定も出来てしまうという利点があるので、生産性を向上させることができる。
また、装飾シールを全面に露出させることができるので装飾性にも優れたものとなる。
【０００９】
この構成において、磁石は、本体の一辺の中央に対し、Ｎ極露出状態とＳ極露出状態とを対称の位置に配置し、他辺もそれと同様に配置させるのが好ましい。
即ち、この構成であれば、磁石式プレート玩具の各辺の中央における磁石の配置状態が同じとなるので、他の磁石式プレート玩具はどの面においても同じ状態で磁気吸着させることができるという作用を有することができる。
【００１０】
なお、この構成によると、側面における磁気吸着作用は、正方形の磁石式プレート玩具を例にとると、左辺が上からＳ極露出状態・Ｎ極露出状態であると、右辺は上からＮ極露出状態・Ｓ極露出状態となるので、同一構成の正方形の磁石式プレート玩具は右辺に対して異極同士で確実に磁気吸着する。
そして、上述の通り、他の３辺も同様な磁気吸着関係となっているので、結局、同一構成の正方形の磁石式プレート玩具同士は、上下左右に隙間なく連続して磁気吸着させることができるという利点がある。
【００１１】
また、表面と裏面との磁気吸着作用は、磁石式プレート玩具の上面に表れる磁極と、下面に表れる磁極は異極同士となるので、同一形状の磁石式プレート玩具同士は、磁石の配置状態が同じであるため上下方向に重ねた時に、異極同士により確実に磁気吸着させることができる。
【００１２】
さらに、磁石式プレート玩具の上面に表れる磁極と、下面を裏返した時に表れる磁極は同じとなるので、これらを総合すると、この構成における磁石式プレート玩具は、同一構成の場合、各側面同士並びに上下面同士を、裏表を問わず連続して磁気吸着させることができるという利点を有している。
【００１３】
その構成において、磁石は、Ｎ極露出状態とＳ極露出状態とを密着させた状態で配置するようにすると、比較的小型の磁石式プレート玩具に応用できる。
【００１４】
反対に、比較的大型の磁石式プレート玩具には、磁石は、Ｎ極露出状態とＳ極露出状態とを間隙をもたせた状態で配置するようにするとよい。
【００１５】
なお、磁気吸着力を向上させたり、かなり大型の磁石式プレート玩具とする場合には、磁石は、Ｎ極露出状態とＳ極露出状態との配置ピッチを一定とし、交互に４ヶ所以上偶数個形成するようにすればよい。
【００１６】
また、本考案における磁石式プレート玩具の本体の形状は、各種の形態で実施できるが、正方形が最も作製しやすく、利用しやすい形態となる。
【考案の効果】
【００１７】
本考案によれば、磁石式プレート玩具を簡単に作成できるので、生産性の向上を図ることができる。
また、本体部材は外観に現れず装飾性を考慮しなくてよいので、紙製の打ち抜き品等を使用することができ、射出成型をする必要性も射出成型用の金型も不要となるので、コストダウンを図ることができる。
さらに、磁石式プレート玩具は、全面を装飾シートで覆われるため希望の表現を自在に行うことができる。
【００１８】
また、磁石を各辺の中心に対し、同一の形態で、Ｎ極露出状態とＳ極露出状態とを対称の位置に配置しているので、各辺に対して他の磁石式プレート玩具を同一の状態に磁気吸着させることができ、例えば、磁石式プレート玩具が正方形であれば、磁石式プレート玩具の方向性を意識することなく、簡単にサイコロ状の立方体を作製することができる。
【図面の簡単な説明】
【００１９】
【図１】本考案による実施例１の分解斜視図を表わしたものである。
【図２】本考案による実施例１の完成状態の斜視図を表わしたものであり、（ａ）は裏面から見た状態、（ｂ）は表面から見た状態を示す。
【図３】本考案による実施例１のＡ−Ｂ断面図を示す。
【図４】本考案による実施例１における装飾シールの斜視図を表わしたものであり、（ａ）は表面から見た状態、（ｂ）は裏面から見た状態を示す。
【図５】本考案の実施例１を作製するための組み立て治具の斜視図を表わしたものである。
【図６】本考案による実施例１の組み立て工程を示す斜視図であり、（ａ）は本体配置状態、（ｂ）は磁石配置状態を示す。
【図７】本考案による実施例１の装飾シールの取り付け説明用の斜視図を示す。
【図８】本考案による実施例１の装飾シールの初期貼着状態の斜視図を示す。
【図９】本考案による実施例１の装飾シールの最終取り付けまでの工程を表す斜視図であり、（ａ）は初期貼着状態を内面から見た状態、（ｂ）中間取り付け状態、（ｃ）は最終取り付け直前の状態を示す。
【図１０】本考案による実施例１の磁気吸着作用を示す説明図であり、（ａ）は側面の磁気吸着作用を示す平面図、（ｂ）は表裏面の磁気吸着作用を示す斜視図を示す。
【図１１】本考案による実施例２の説明図であり、（ａ）は蓋部分を磁気吸着する直前の平面図、（ｂ）は組み立て状態の磁極位置を表わす斜視図、（ｃ）通常の組み立て状態の斜視図、（ｄ）は他の組み立て状態の斜視図を示す。
【図１２】本考案による実施例２の変形例を表す斜視図であり、（ａ）は変形例１、（ｂ）は変形例２を示す。
【図１３】本考案による実施例２の変形例に使用する磁石式プレート玩具を示したものであり、（ａ）は変形例１用、（ｂ）は変形例２用のものを示す。
【図１４】本考案による実施例２の変形例を表す斜視図であり、（ａ）は変形例３、（ｂ）は変形例４、（ｃ）は変形例５を示す。
【図１５】本考案による他の実施例を表す平面図であり、（ａ）は実施例３、（ｂ）は実施例４を示す。
【図１６】本考案による実施例５を表す平面図を示す。
【考案を実施するための形態】
【００２０】
本考案は、平板状の多角形で成る本体と、複数の磁石と、内面側に粘着剤を塗布した装飾シールとからなり、本体の各辺に設けた取り付け凹部に磁石を挿入した状態で、その表面又は裏面を上記装飾シールの内面側に粘着させることにより配置を安定させ、さらに、この装飾シールを、他の面も同様に粘着させて全面を覆うことを基本構成としたものであり、以下、詳細に説明していく。
【実施例１】
【００２１】
図１は、本考案の実施例１の分解斜視図を表わしたものである。
即ち、磁石式プレート玩具１は、本体２と、８個の磁石４，４，４．．．と、内面側に粘着剤６が設けられた装飾シール５とで構成される。
【００２２】
本体２は、ボール紙合紙製で、厚さが略３ｍｍ、１辺の長さが略５５ｍｍの正方形の板状のものとなっており、外周を形成する各辺の中央には、夫々二つの磁石４，４が挿入される取り付け凹部３，３，３，３が形成されている。
なお、この部材は、最終的には外観に露出しない部材となるため、形状を保つことができるという条件で、適宜の材料を使用することができる。
【００２３】
磁石４は、幅１０ｍｍ、奥行４ｍｍ、厚さ３ｍｍ程度の大きさで、上下（厚み方向）に磁化容易軸を配向した異方性ストロンチュム系焼結フェライト品を、上下（厚み方向）に着磁処理したものを使用する。
【００２４】
但し、使用に当たっては、図１中にハッチングを施したＮ極が上面に露出し、下面にＳ極露出する４Ｎの形態と、ハッチングを施したＮ極が下面に露出し、上面にはＳ極露出する４Ｓの形態に使い分ける。
即ち、本体２における任意の一辺の取り付け凹部３に対して、正面から見て、左側に４Ｓ、右側に４Ｎを連なる状態に挿入し、他の三辺についても同様に挿入することになる。
【００２５】
装飾シール５は、厚さ約０．１ｍｍ程度で、代表的な材料として、表面の印刷が可能なプラスチックフィルムや合成紙、紙等を使用し、このうち合成紙や紙等は、必要に応じて、ポリプロピレンフィルム等をラミネートした材料を使用する。
但し、表示が可能で、簡単に破れないものであれば、これらに限らず適宜な材料を使用しても構わない。
【００２６】
なお、装飾シール５の形状は、図１に示すように、本体２が載置できるスペースの外側に、本体２の厚さ寸法分が確保され、さらにその外側に、本体２の裏面に取り付けるための四つの覆い片が形成されている。
具体的には、図４（ａ）の表面から見た斜視図状態に示すように、左覆い片５ａ、右覆い片５ｂ、上部覆い片５ｃが、幅を夫々１０ｍｍ程度として形成されており、さらに、下部覆い片５ｄが幅５１ｍｍ程度に形成される。
また、これらの各覆い片のコーナーは、装着時のはみ出しを防ぐと共に見栄えを良くするため、直線的な面取りやアール状の面取りを施している。
さらに、各覆い片の根元が交差する部分には、本体２の四隅の角の露出を防止するために、切り込み５ｅ１，５ｅ２，５ｅ３，５ｅ４を介して、その順に、角部覆い片５ｆ１，５ｆ２，５ｆ３，５ｆ４を設けた形態となっている。
【００２７】
そして、表面には、図４で、ローマ数字で２（II）と表記しているような印刷が施され、裏面には、図４（ｂ）の裏面から見た斜視図に示すように、感圧接着剤とも表現されるところの、粘着剤６が全面に塗布されている。
また、粘着剤６の上面には、使用時までの保護用に剥離紙７を使用している。
但し、この剥離紙７は、一度に全てを取り去るのではなく、図４（ｂ）に破線で示すような下部剥離紙７ａを残すように剥がしたほうが、装飾シール５の取り付け作業が行いやすくなるので、そのように千切って使用するのが好ましく、千切り易くするために、必要に応じてこの剥離紙７に図示しない切り込みを入れておいてもよい。
【００２８】
次に、磁石式プレート玩具１の組み立て方法について説明する。
【００２９】
図５は、磁石式プレート玩具１の組み立て治具８の斜視図を表わしたものである。
具体的には、基盤９の上面の、左側に剥離紙下部当て板１０、下部左寄りに剥離紙側部当て板１１、右下コーナーに本体角部当て板１２、右側に本体側部当て板１３、下部中央部に本体下部当て板１４を設けた構成となっている。
なお、剥離紙下部当て板１０の高さＣ１、剥離紙側部当て板１１の高さＣ２は、本体２より若干高めに形成され、本体角部当て板１２の高さＤ１、本体側部当て板１３の高さＤ２、本体下部当て板１４の高さＤ３は、本体２の厚さよりより若干低めの寸法とするのが好ましく、その他の寸法は作業性を考慮して適宜選択すればよく、材質についても同様である。
【００３０】
そして、先ず、図６（ａ）の本体配置の斜視図に示すように、組み立て治具８における本体角部当て板１２、本体側部当て板１３、本体下部当て板１４の内側に、本体２の側面を当接して配置する。
次に、図６（ｂ）の磁石配置の斜視図に示すように、本体２に設けられた取り付け凹部３，３，３，３に対して、夫々、磁石４Ｓ、磁石４Ｎが正面から見て同じ配置となるようにして挿入する。
【００３１】
なお、この図も含めてこれ以降の図においては、磁石４Ｓ及び磁石４Ｎの記載は、必要以外は省略し、代わって表面に露出する磁極であるＳ及びＮを表示することとする。
【００３２】
次に、図７の装飾シール５の取り付け説明用の斜視図に示すように、下部剥離紙７ａを残すようにして粘着剤６を塗布した内面が露出した状態の装飾シール５を、その内面側が下になるようにして、下部剥離紙７ａの剥離紙下部７ｂを剥離紙下部当て板１０の内面１０ａに当接させ、剥離紙側部７ｃを剥離紙側部当て板１１の内面１１ａに当接させるように、磁石４，４，４．．．を嵌合してある本体２の表面に押し付けると、図８の装飾シール５の粘着状態の斜視図に示すように、装飾シール５は、所定の位置に粘着状態で取り付けられることになる。（図９（ａ）参照）
【００３３】
図９は、装飾シール５の最終までの取り付け、即ち、磁石式プレート玩具１の完成までの工程の斜視図を表わしたものである。
図９（ａ）は、磁石を嵌合した状態の本体に装飾シールを粘着にて取り付けた状態を示した斜視図であり、前述の図８の状態を裏向けた状態ということになる。
この図に表れるように、装飾シール５、本体２、磁石４，４，４．．．、は粘着剤にて相互に位置決めされて取り付けられているので、後は、本体２、磁石４，４，４．．．、が露出しないように装飾シール５で覆えば完成することになる。
【００３４】
具体的には、図９（ａ）の状態から、矢印で示すように、左覆い片５ａ、及び、右覆い片５ｂを本体２の裏面に粘着にて取り付ける。（図９（ｂ）参照）
次に図９（ｂ）の斜視図の状態から、角部覆い片５ｆ１，５ｆ２を本体２の上部の側面に粘着させ、その上から、上部覆い片５ｃを本体２の裏面に粘着にて取り付ける。（図９（ｃ）参照）
そして図９（ｃ）の斜視図の状態から、角部覆い片５ｆ３，５ｆ４を本体２の下部の側面に粘着させ、その上から、下部覆い片５ｄを本体２の裏面に粘着にて取り付けると、図２（ａ）の裏面から見た完成状態の斜視図に示すように、磁石式プレート玩具１が完成する。
【００３５】
なお、図２（ｂ）は表面から見た完成状態の斜視図であり、ローマ数字の２（ＩＩ）で示すような印刷面が表示できることになる。
【００３６】
また、図３は図２（ａ）のＡ−Ｂ断面図を表わしたものであり、本体２の４辺の各側面中央には、正面から見て、左側に上面がＳ極に着磁された磁石４Ｓ、右側に上面がＮ極に着磁された磁石４Ｎとなるように配置された状態で、装飾シール５にて覆われて固定されている状態が示されている。
【００３７】
次に、磁石式プレート玩具の磁気吸着作用について図１０を使って説明する。
図１０（ａ）は、磁石式プレート玩具の側面の磁気吸着作用を示す平面図である。
そして、正方形でなる磁石式プレート玩具１ａを基準として説明すると、表面にローマ数字の１（Ｉ）の表示がなされた磁石式プレート玩具１ａの左辺には上からＳ極露出状態・Ｎ極露出状態に磁石が配置されている。
この状態は、左辺を正面から見ると左側にＳ極露出状態の磁石、右側にＮ極露出状態の磁石が配置されていることになるので、右辺においても同様に正面から見て左側にＳ極露出状態の磁石、右側にＮ極露出状態の磁石を配置すると、右辺は、上からＮ極露出状態・Ｓ極露出状態に磁石が配置された状態になる。
従って、磁石式プレート玩具１ａの右辺に対して、同一構成で表面にローマ数字の５（Ｖ）の表示がなされた磁石式プレート玩具１ｅの左辺を近接させると異極同士で確実に磁気吸着にて接合される。
【００３８】
なお、他の三辺についても、同様な磁気吸着関係となるので、磁石式プレート玩具１ａの左辺には表面にローマ数字の２（ＩＩ）の表示がなされた磁石式プレート玩具１ｂ、上辺には表面にローマ数字の３（ＩＩＩ）の表示がなされた磁石式プレート玩具１ｃ、下辺には表面にローマ数字の４（ＶＩ）の表示がなされた磁石式プレート玩具１ｄが異極同士で確実に磁気吸着にて接合される。
また、この磁気吸着の作用は、上下方向や左右方向に連続して起こるものなので、例えば、表面にローマ数字の５（Ｖ）の表示がなされた磁石式プレート玩具１ｅの右辺には、表面にローマ数字の６（ＶＩ）の表示がなされた磁石式プレート玩具１ｆが磁気吸着にて接合されることになる。
【００３９】
ちなみに、この磁気吸着の作用は、磁石式プレート玩具各辺共に同様に発生するものなので、図１０（ａ）においては、数字の向きが上下方向に揃うように取り付けられているが、左右方向に数字の向きを揃えたり自由な向きであっても取り付けることができる。
また、図示はしないが、例えば左右方向に磁石式プレート玩具を複数個連続して磁気吸着した状態のものを、上下方向にも複数段にわたって磁気吸着させることも可能である。
【００４０】
また、図１０（ｂ）は磁石式プレート玩具の表裏面の磁気吸着作用を示す斜視図であり、この図で表れるように、裏面は表面の磁極とは反対の磁極が形成されているので、例えば、磁石式プレート玩具１ａと磁石式プレート玩具１ｂとは、同じ位置に同じ磁極で磁石が配置されているため磁石式プレート玩具１ａの裏面と、磁石式プレート玩具１ｂの表面とは異極同士で強固に磁気吸着することになる。
なお、このとき、各磁石式プレート玩具は表裏を裏返しても、この磁極配置関係は変わらないので、各磁石式プレート玩具は、表裏面にこだわらず重ねて磁気吸着することができる。
【００４１】
従って、この特性を生かせば、簡単且つ確実に立体の作製が可能となるので、以下、具体的に実施例として説明していく。
【実施例２】
【００４２】
実施例２は、磁石式プレート玩具を正方形として組み立てた、サイコロを代表とする正立方体となっており、図１１は、その作製手順及び仕上がり状態について説明した図である。
なお、前述した図１０（ａ）は、正立方体を作製する際の展開状態を示しているので、その図の状態を用いて、説明を展開していくこととする。
【００４３】
図１１（ａ）は正立方体における蓋部分を磁気吸着する直前の平面図を示したものである。
即ち、前述した図１０（ａ）で横並び状態の磁石式プレート玩具１ｂ，１ａ，１ｅ，１ｆの側面同士を磁気吸着させてその上方から見た平面図に対し、磁石式プレート玩具１ｃの平面図を上下に並べて位置させたものとなっている。
そして、この図からは、蓋となる磁石式プレート玩具１ｃの下方の辺に配置されたＳ極とＮ極とは、磁石式プレート玩具１ｆの内面のＮ極とＳ極と対峙し、磁石式プレート玩具１ｃの上方の辺に配置されたＮ極とＳ極とは、磁石式プレート玩具１ａの内面のＳ極とＮ極と対峙し、さらに、他の２辺も同様な磁気吸着関係にあるので、蓋となる磁石式プレート玩具１ｃは、磁石式プレート玩具１ｂ，１ａ，１ｅ，１ｆからなる四面の構造体の一方の解放面に磁気吸着にて被せるように取り付けることができる。
【００４４】
また、磁石式プレート玩具１ｂ，１ａ，１ｅ，１ｆからなる四面の構造体における他方の解放面についても、その解放面を上になるように裏返せば、図１１（ａ）に示すのと同様な磁石の配置関係となるので、上述した磁石式プレート玩具１ｃと同様に、磁石式プレート玩具１ｄにて被せるように磁気吸着させて取り付けることができる。
【００４５】
図１１（ｂ）は、組み立て状態の磁極位置を表わす斜視図を示したものであり、正立方体における六面に配置されている全ての磁石４，４，４．．．における露出したＮ極とＳ極とが対峙した状態になる、と共に、ここに表示されている磁極の裏側に形成される異極同士同士で確実に異極吸着することになる。
【００４６】
なお、図１１（ｃ）は、通常の組み立て状態の斜視図を示したものであり、本実施例においては、磁石式プレート玩具１ａ，１ｂ，１ｃ，１ｄ，１ｅ，１ｆの各面に表示されたローマ数字の１〜６（Ｉ〜ＶＩ）の数字によって、サイコロ的な使用が可能となる。
【００４７】
また、図１１（ｄ）は、他の組み立て状態の斜視図を示したものであり、各磁石式プレート玩具は、前述した通り、夫々裏返しての使用も可能であるため、図１１（ｃ）における磁石式プレート玩具１ｃを裏返すと、この図の通り裏面が表示される。
従って、表裏面に任意の表示を施せば、サイコロ的な使用に限らず、その他の多様な表示が可能となるので、利便性が向上することになる。
【００４８】
図１２〜図１４は、正方形の磁石式プレート玩具２１を使用した場合の変形例を示したものである。
【００４９】
即ち、上下方向を解放した筒体に仕上げるのであれば、単に側面同士を磁気吸着させれば可能であり、変形例１としての正三角筒３１であれば、図１２（ａ）の斜視図に示すように磁石式プレート玩具２１を３枚、変形例２としての正六角筒４１であれば、図１２（ｂ）の斜視図に示すように、磁石式プレート玩具２１を６枚仕様するだけでよい。
なお、上下方向を解放した筒体に仕上げる際、磁石式プレート玩具１同士の取り付け角度は適宜に決めればよいので、図１２（ａ）（ｂ）のような正多角形ではなく、任意の多角形に変形させて楽しめることは言うまでもない。
【００５０】
一方、筒の形状を安定させるには、蓋部材を希望の形のものとして使用すればよく、例えば、図１２（ａ）に示す正三角筒３１には図１３（ａ）に示す正三角形の磁石式プレート玩具３２を作製しておき、図１２（ｂ）に示す正六角筒４１には図１３（ｂ）に示す正六角形の磁石式プレート玩具４２を作製しておけばよい。
そして、有底筒や、立体として仕上げる際には、解放された筒の底部や、解放された筒の底部及び上部に磁気吸着させればよい。
【００５１】
図１４は、立体としての変形例の斜視図を表わしたものであり、図１４（ａ）は、変形例３としての正三角柱状立体３３を示したものであり、この場合は、正方形の磁石式プレート玩具２１を３枚で筒状部を形成し、上下の解放部に正三角形の磁石式プレート玩具３２，３２を磁気吸着させて完成させる。
また、図１４（ｂ）は、変形例４としての正六角柱状立体４３を示したものであり、この場合は、正方形の磁石式プレート玩具２１を６枚で筒状部を形成し、上下の解放部に正六角形の磁石式プレート玩具４２，４２を磁気吸着させて完成させる。
なお、正六角形の磁石式プレート玩具４２は、図中に想像線で示すように正三角形の磁石式プレート玩具３２を６枚磁気吸着させて形成しても可能である。
【００５２】
そして、図１４（ｃ）は変形例５を示したものであるが、これは、正三角形の磁石式プレート玩具３２を４枚使った正三角錐３４となっている。
このように、本考案は、正方形の磁石式プレート玩具２１同士や、正方形の磁石式プレート玩具２１と他の形状の磁石式プレート玩具との組み合わせに限らず、適宜の多角形の磁石式プレート玩具でも実施することが可能である。
【００５３】
本考案における磁石４の配置は、実施例１に示したように、磁石式プレート玩具の各辺の中央に、Ｎ極が上面に露出する状態と、Ｓ極が上面に露出する状態とを並べて配置することを基本とするが、各種に変形して実施することが可能であり、以下、その代表的な実施例について、説明していく。
【実施例３】
【００５４】
図１５（ａ）は、実施例３を表した平面図であり、正方形の磁石式プレート玩具２２における各辺の中心から距離Ｋでなる対称の位置に、Ｎ極が上面に露出する状態と、Ｓ極が上面に露出する状態とを配置した状態としている。
このような配置にしても、同様に作製した他の正方形の磁石式プレート玩具２２における各磁石とは、正しく対峙する関係となるので、磁気吸着作用は実施例１と変わることはない。
【００５５】
ただ、磁石式プレート玩具を大きな寸法とする場合は、実施例１のように辺の中心のみでおこなうより、本実施例のように、Ｎ極が上面に露出する状態と、Ｓ極が上面に露出する状態とを配置した状態を、辺の中央から対称の位置に間隙をもたせたほうが、バランス良く磁気吸着させることができて、好適である。
【００５６】
なお、その場合、図１５（ａ）の右辺に示すように、各磁石は、一辺の長さＬに対し、端からＬ／４中心寄りに降った位置、即ち中心からもＬ／４端側に寄った位置に配置すると、後述するように、他の形状の磁石式プレート玩具直見合わせて使用するのに、好ましい態様となる。
【実施例４】
【００５７】
図１５（ｂ）は、実施例４を表した平面図である。
実施例４の磁石式プレート玩具２３は、実施例１のように磁石式プレート玩具の各辺の中央に、Ｎ極が上面に露出する状態と、Ｓ極が上面に露出する状態とを並べて配置した状態から、さらにその両側に、上面に露出する磁極が異なる状態の磁石を夫々１個、並べて配置する構成となっている。
このような構成とすると、磁石式プレート玩具２３同士の磁気吸着力を向上させることが可能となる。
ちなみに、さらに磁石数を増やす場合は、上面の露出する磁極が反対となるように増加させていけばよい。
【００５８】
なお、この実施例においても、実施例３に開示したように、各辺の中心から対称に磁石を配置することを前提として、各磁石間に間隙をもたせるようにしてもよい。
【実施例５】
【００５９】
次に、複数の形状の磁石式プレート玩具を組み合わせて使用する一例を説明する。
図１６は実施例５を表す平面図であり、この図に示されるように、実施例５は、正方形の磁石式プレート玩具５１、直角二等辺三角形の磁石式プレート玩具５２，５２、長方形の磁石式プレート玩具５３とで構成されている。
【００６０】
なお、長方形の磁石式プレート玩具５３については、磁石の配置の記載は省略するが、想像線で示すように、大きな直角三角形の磁石式プレート玩具５３ａ，５３ａを組み合わせて作製してもよい。
また、大きな直角三角形の磁石式プレート玩具５３ａ，５３ａを、図１６の構成に加えることも、勿論可能である。
【００６１】
なお、各辺の長さは、ＬまたはＬの整数倍を基本としており、そのＬは、両端からＬ／４の位置に夫々表面に露出する磁極が反対となるように磁石を配置し、両磁石間のピッチは必然的にＬ／２と長さとなるように構成されている。
ちなみに、正方形の磁石式プレート玩具５１の一辺はＬ、直角二等辺三角形の磁石式プレート玩具５２の一辺はＬ，長方形の磁石式プレート玩具５３の短辺はＬ、長辺は２Ｌとなっている。
このように、各磁石式プレート玩具長さを設定すると、二つの磁石式プレート玩具の側面同士を近接させたとき、端面が一致した状態で、そこに配置された磁石は必ず反対の極性の磁石と磁気吸着することになるので、好適である。
なお、この特性は、この図に開示されていない多角形状の磁石式プレート玩具にも適用することは当然に可能である。
【００６２】
但し、辺の長さを、この図におけるＬ、または、Ｌの整数倍に設定できない形状も存在し、例えば、図中、直角二等辺三角形の磁石式プレート玩具５２，５２における斜辺は、各辺の長さＬに２の平方根を乗ずる寸法になり、整数倍にすることは不可能である。
このような場合は、斜辺同士で特定の磁石配置を行うしかないが、その場合でも、これまで説明したように、磁石の配置は斜辺の中心から対称位置に反対の磁極が露出するように配置し、磁石間のピッチも、この図におけるＬ／２の寸法で行うのが、他の磁石式プレート玩具の磁気吸着が可能となるので、そのように構成するのが好ましい。
【００６３】
本考案は、各種に変形することが可能であり、これまでに説明した各実施例や変形例に示されていない構成も、主旨を逸脱しない範囲で実施することができる。
例えば、磁極であるＮ及びＳの配置は、これまで述べた内容とは反対の磁極として実施してもよい。
また、磁石式プレート玩具の形状を、星型のような特殊な多角形状を用いてもよい。
さらに、多数の形状の磁石式プレート玩具を組み合わせた、より想像性を高めることができるセット商品に仕上げるようにして実施してもよい。
【産業上の利用可能性】
【００６４】
本考案による磁石式プレート玩具は、成型用の金型等を使用することなく低コストで実現することができることから、各種の需要者の要求に適切に対応ができ、利用度が高いものとなっている。
なお、軽量に仕上げることができ、使用方法も簡単なため、知育用玩具或いは低学児童の教材として利用することができる。
また、磁石式プレート玩具の表面及び裏面の印刷表示が可能となっているので、装飾用としても活用ができる。
【符号の説明】
【００６５】
Ｎ  磁石のＮ極
Ｓ  磁石のＳ極
Ｃ１、Ｃ２  （剥離紙側部当て板の）高さ
Ｄ１、Ｄ２、Ｄ３  （本体側部当て板の）高さ
Ｉ、ＩＩ、ＩＩＩ、ＩＶ、Ｖ、ＶＩ  表面の表示
１、１ａ、１ｂ、１ｃ、１ｄ、１ｅ、１ｆ  磁石式プレート玩具
２  本体
３  取り付け凹部
４  磁石
４Ｎ  Ｎ極を上面に露出させた磁石
４Ｓ  Ｓ極を上面に露出させた磁石
５  装飾シール
５ａ  左覆い片
５ｂ  右覆い片
５ｃ  上部覆い片
５ｄ  下部覆い片
５ｅ１、５ｅ２、５ｅ３、５ｅ４  切り込み
５ｆ１、５ｆ２、５ｆ３、５ｆ４  角部覆い片
６  粘着剤
７  剥離紙
７ａ  下部剥離紙
７ｂ  剥離紙下部
７ｃ  剥離紙側部
８  組み立て治具
９  基盤
１０  剥離紙下部当て板
１０ａ  内面
１１  剥離紙側部当て板
１１ａ  内面
１２  本体角部当て板
１３  本体側部当て板
１４  本体下部当て板
２１、２２、２３  正方形の磁石式プレート玩具
３１  正三角筒
３２  正三角形の磁石式プレート玩具
３３  正三角柱状立体
３４  正三角錐
４１  正六角筒
４２  正六角形の磁石式プレート玩具
４３  正六角柱状立体
５１  正方形の磁石式プレート玩具
５２  直角二等辺三角形の磁石式プレート玩具
５３  長方形の磁石式プレート玩具
５３ａ  想像線で分割される直角三角形
【図１】
0003161698.tif 000003
【図２】
0003161698.tif 000004
【図３】
0003161698.tif 000005
【図４】
0003161698.tif 000006
【図５】
0003161698.tif 000007
【図６】
0003161698.tif 000008
【図７】
0003161698.tif 000009
【図８】
0003161698.tif 000010
【図９】
0003161698.tif 000011
【図１０】
0003161698.tif 000012
【図１１】
0003161698.tif 000013
【図１２】
0003161698.tif 000014
【図１３】
0003161698.tif 000015
【図１４】
0003161698.tif 000016
【図１５】
0003161698.tif 000017
【図１６】
0003161698.tif 000018